(57)【要約】【課題】  オプチカル・マウス・デバイスの検出特性と検出能力を改善できる、マルチ・カラー・イメージ・フォーミング・ライト・ソースを有するオプチカル・マウス・デバイスを提供する。【解決手段】  ケーシング１０と、プリント電気回路基板２０と、マルチ・カラー・イメージ・フォーミング・ライト・ソース３０と、ライト・ガイド・ユニット４０と、レンズ・ユニット５０と、ライト・センサー６０とを備えており、マルチ・カラー・イメージ・フォーミング・ライト・ソース３０とライト・センサー６０とをプリント電気回路基板２０に配置し、ケーシング１０内に収納し、マルチ・カラー・イメージ・フォーミング・ライト・ソース３０からのライトをライト・ガイド・ユニット４０を介してケーシング１０を通させてからレフレクト・フェースに照射させ、レンズ・ユニット５０へレフレクトさせ、ライト・センサー６０によって前記のレフレクト・ライトを検出する。【選択図】      図２ 
0003104120.tif 000002
【実用新案登録請求の範囲】
【請求項１】
内方に収納部が形成されるケーシングと、
前記ケーシングの収納部内に配置されるプリント電気回路基板と、
前記プリント電気回路基板に電気的に接続されるマルチ・カラー・イメージ・フォーミング・ライト・ソースと、
前記マルチ・カラー・イメージ・フォーミング・ライト・ソースと対向するように配置されるとともに、前記プリント電気回路基板に電気的に接続されるライト・センサーと、
前記ケーシングにおける収納部に収納されるとともに、前記マルチ・カラー・イメージ・フォーミング・ライト・ソースに隣接し、且つそのマルチ・カラー・イメージ・フォーミング・ライト・ソースからのライトをガイドするライト・ガイド・ユニットと、
前記ケーシングの収納部に配置され、且つ前記ライト・センサーに連結され、且つ前記のマルチ・カラー・イメージ・フォーミング・ライト・ソースからのレフレクト・ライトをコレクトし、且つそれを前記ライト・センサーにトランスミットするレンズ・ユニットとを少なくとも有することを特徴とするオプチカル・マウス・デバイス。
【請求項２】
前記マルチ・カラー・イメージ・フォーミング・ライト・ソースとして、赤色光発光ダイオードと、緑色光発光ダイオードと、青色光発光ダイオードとからなる三つの発光ダイオードを使用することを特徴とする請求項１に記載のオプチカル・マウス・デバイス。
【請求項３】
前記マルチ・カラー・イメージ・フォーミング・ライト・ソースとして、マルチ・カラー・ダブル・ライト・エミッティング結晶粒子からなる発光ダイオードを使用することを特徴とする請求項１に記載のオプチカル・マウス・デバイス。
【請求項４】
前記プリント電気回路基板にはスルー・ホールが形成され、前記ライト・センサーと前記マルチ・カラー・イメージ・フォーミング・ライト・ソースとが対向しあうように前記プリント電気回路基板におけるスルー・ホールの両側に配置され、且つ前記のライト・ガイド・ユニットが上向けて前記スルー・ホールを越えるように延伸されるとともに、前記マルチ・カラー・イメージ・フォーミング・ライト・ソースに隣接するように配置されることを特徴とする請求項１に記載のオプチカル・マウス・デバイス。
【請求項５】
前記プリント電気回路基板にはスルー・ホールが形成され、且つ前記レンズ・ユニットが上向けて前記スルー・ホールを越えるように延伸し、且つ前記ライト・センサーの下側に連結されることを特徴とする請求項１に記載のオプチカル・マウス・デバイス。
【請求項６】
前記ライト・ガイド・ユニットには、複数の、前記マルチ・カラー・イメージ・フォーミング・ライト・ソースに対応するとともに、相互に連接され、且つ相互の間に挟持角を形成する受光面同士が配置されることを特徴とする請求項１に記載のオプチカル・マウス・デバイス。
【請求項７】
前記レンズ・ユニットの前記ライト・ガイド・ユニットに対応する端部に係止口が形成され、前記ライト・ガイド・ユニットの一端がそのレンズ・ユニットにおける係止口に係止されることを特徴とする請求項１に記載のオプチカル・マウス・デバイス。
【請求項８】
前記マルチ・カラー・イメージ・フォーミング・ライト・ソースが前記プリント電気回路基板に対し円弧状にアレンジされるように配置されることを特徴とする請求項１に記載のオプチカル・マウス・デバイス。
【請求項９】
前記ライト・ガイド・ユニットには複数個の受光面同士と一個の出射面を有しつつ、それらの受光面同士のトータルの面積が前記出射面の面積より大きく設定されることを特徴とする請求項１に記載のオプチカル・マウス・デバイス。
【考案の詳細な説明】
【技術分野】
【０００１】
本考案は、オプチカル・マウス・デバイスに係わり、特にマルチ・カラー・イメージ・フォーミング・ライト・ソースを備えているオプチカル・マウス・デバイスに関するものである。
【背景技術】
【０００２】
従来のオプチカル・マウス・デバイスのオプチカル・モジュールは、図１に示すように、プリント電気回路基板１０ａに、対応しあうように、赤色光発光ダイオード２０ａとライト・センサー３０ａを配置し、且つ一体成形されるオプチカル・エレメント４０ａがプリント電気回路基板１０ａのスルー・ホール１１ａを通すように延伸形成され、オプチカル・エレメント４０ａには、ライト・ガイド・エレメント４１ａと、レンズ・エレメント４２ａとを備えており、ライト・ガイド・エレメント４１ａは、赤色光発光ダイオード２０ａの出射する赤色光をトランスミットして、前記オプチカル・マウス・デバイスのレフレクト・フェースにレフレクトされて、且つレンズ・エレメント４２ａによってコレクトして、前記レフレクト・フェースにおける赤色光をライト・センサー３０ａにトランスミットして、前記オプチカル・マウス・デバイスに、ライト・センサー３０ａの検出するライト・イメージの変化を識別させて、そのオプチカル・マウス・デバイス移動量と速度の関係を入力処理する。
【０００３】
しかしながら、従来のオプチカル・マウス・デバイスには、依然として下記のような課題を備えている。つまり、オプチカル・マウス・デバイスには、赤色光のライト・ソースしか有しなく、且つ緑色のレフレクト・フェースを滑走する場合に、その緑色のレフレクト・フェースの赤色光に対するレフレクト・レートが大幅に低下されることがあり、その原因は、赤色と緑色とが相補するカラーであるから、赤色光の光波が大量にその緑色のレフレクト・フェースに吸収されることを招き、そのため、ライト・センサーの検出可能な赤色光の量が大幅に減少されてしまい、その識別機能を劣らせる結果を招いてしまい、そのため、オプチカル・マウス・デバイスの検出能力が大幅に劣ってしまい、ノーマルに仕事できないことを生じることもあり、ライト・センサーのライト検出能力を向上することや、赤色光発光ダイオードの発光パワーを向上することなどの方法によってその状況を改善できるが、依然としてその根本的な課題を解決できなく、且つそれらの解決手段もコストを大幅にアップさせることがあり、且つ技術上にも若干のリミットを有しているので、好ましくないと言える。
【考案の開示】
【考案が解決しようとする課題】
【０００４】
本考案は、オプチカル・マウス・デバイスの内部のマルチ・カラー・イメージ・フォーミング・ライト・ソースを選択することと変換することとによって、ライト・ソースのカラー・ライトとレフレクト・フェースとのカラーの相補性の課題を解消し、オプチカル・マウス・デバイスに、いずれのカラーのレフレクト・フェースにおいて滑走しても、すべて所定の検出能力を保持できるようにさせることを特徴とする、マルチ・カラー・イメージ・フォーミング・ライト・ソース有オプチカル・マウス・デバイスを提供することをその主要な解決しようとする課題とする。
【課題を解決するための手段】
【０００５】
前記の目的を図るために、本考案によるオプチカル・マウス・デバイスには、ケーシングと、プリント電気回路基板と、マルチ・カラー・イメージ・フォーミング・ライト・ソースと、ライト・センサーと、ライト・ガイド・ユニットと、レンズ・ユニットとを備えており、その中では、前記ケーシングの内方には収納部を有し、且つ前記プリント電気回路基板が前記ケーシングにおける収納部に収納され、且つ前記マルチ・カラー・イメージ・フォーミング・ライト・ソースが前記のプリント電気回路基板に電気的に接続され、また、前記ライト・センサーも前記プリント電気回路基板に電気的に接続され、また、前記マルチ・カラー・イメージ・フォーミング・ライト・ソールに対応するように、前記らいと・ガイド・ユニットも前記ケーシングにおける収納部内に収納され、且つ前記マルチ・カラー・イメージ・フォーミング・ライト・ソースに隣接するとともに、前記マルチ・カラー・イメージ・フォーミング・ライト・ソースからのライトをトランスミットし、また、前記レンズ・ユニットが前記ケーシング内の収納部に配置されるとともに、前記ライト・センサーに連結され、且つ前記マルチ・カラー・イメージ・フォーミング・ライト・ソースからのレフレクト・ライトをコレクトして前記ライト・センサーへトランスミットし、且つ選択可能で且つ変換可能なイメージ・フォーミング・ライト・ソースを提供し、こうすると、ライト・ソースのカラー・ライトと前記レフレクト・フェースのカラーと相補関係を形成することを避けられるので、オプチカル・マウス・デバイスがいずれのカラーのレフレクト・フェースを滑走しても所定の検出能力と検出特性を持続的に確保できるようになっている。
【０００６】
また、本考案の特徴とその技術内容をさらに詳しく解明させるために、以下に添付図面を参照しながら、本考案の優れた実施の形態を詳細的で具体的に説明するが、それらの説明による具体的な構成は、単に本考案を説明することに利するものであり、本考案の主張範囲を狭義的にリミットを加えるものではない。
【考案を実施するための最良の形態】
【０００７】
図２ないし図４に示すように、本考案は、マルチ・カラー・イメージ・フォーミング・ライト・ソース有オプチカル・マウス・デバイスを提供し、それには、ケーシング１０と、プリント電気回路基板２０と、マルチ・カラー・イメージ・フォーミング・ライト・ソース３０と、ライト・ガイド・ユニット４０と、レンズ・ユニット５０と、ライト・センサー６０とを備えており、且つマルチ・カラー・イメージ・フォーミング・ライト・ソース３０とライト・センサー６０とをプリント電気回路基板２０に配置し、且つケーシング１０内に収納し、マルチ・カラー・イメージ・フォーミング・ライト・ソース３０からのライトをライト・ガイド・ユニット４０を介してケーシング１０を通させてからレフレクト・フェースに照射させ、且つレンズ・ユニット５０へレフレクトさせ、また、ライト・センサー６０によってレンズ・ユニット５０のコレクトするレフレクト・ライトを検出し、そのため、オプチカル・マウス・デバイスのイメージ・フォーミング・ライト・ソース３０を選択及び変化することによって、前記レフレクト・フェースとイメージ・フォームミング・ライト・ソース３０と相補性を有するカラーを形成させることを避けられるので、カラーの相補性によるライトのレフレクト・レートの低下される課題を解消できるため、オプチカル・マウス・デバイスの検出特性と検出能力を大幅に向上できる。
【０００８】
図２ないし図３に示すように、ケーシング１０の内方には収納部１１が形成され、また、前記プリント電気回路基板２０にはスルー・ホール２１を有し、且つマルチ・カラー・イメージ・フォーミング・ライト・ソース３０とライト・センサー６０とが対応しあうように前記プリント電気回路基板２０におけるスルー・ホール２１の両側に配置され、且つマルチ・カラー・イメージ・フォーミング・ライト・ソース３０をプリント電気回路基板２０に対し円弧状を呈するように配置し、また、プリント電気回路基板２０がケーシング１０における収納部１１内に収納され、また、ライト・ガイド・ユニット４０がケーシング１０内の収納部１１に斜めに配置され、且つ上向けてスルー・ホール２１を超えるように延伸形成され、且つマルチ・カラー・イメージ・フォーミング・ライト・ソース３０に近接するようにアレンジされ、ライト・ガイド・ユニット４０のイメージ・フォーミング・ライト・ソース３０に近接する箇所には複数のイメージ・フォーミング・ライト・ソース３０に対応するとともに、相互の間には挟持角を形成する受光面同士４１を有し、それらによってイメージ・フォーミング・ライト・ソース３０からのライトの入射角度を設定し、また、ライト・ガイド・ユニット４０の受光面同士４１のトータルの面積がより大きくなるように設定され、且つその対向しあう箇所における出射面の面積がより小さくなるように設定され、そのため、マルチ・カラー・イメージ・フォーミング・ライト・ソース３０よりのライトがライト・ガイド・ユニット４０の受光面同士４１に受光され、且つ出射面よりレフレクト・フェースへ照射され、それによって、それぞれ異なるイメージ・フォーミング・ライト・ソース３０の投射ライトの最も明るい区域をライト・センサー６０の検出範囲に位置させるように設定する。また、レンズ・ユニット５０が上向きにプリント電気回路基板２０のスルー・ホール２１を越えるように延伸形成され、且つその上側がライト・センサー６０に連結され、また、レンズ・ユニット５０のライト・ガイド・ユニット４０に対応する端部には係止口５１が形成され、ライト・ガイド・ユニット４０の一端がこのレンズ・ユニット５０における係止口５１に係止される。そのため、そのオプチカル・マウス・デバイスを使用する際に、その中の一つのイメージ・フォーミング・ライト・ソース３０を使用でき、そのカラー・ライトとオプチカル・マウス・デバイスのレフレクト・フェースとが相補するカラーを形成しないので、前記イメージ・フォーミング・ライト・ソース３０の発生するライトをライト・ガイド・ユニット４０を介して前記レフレクト・フェースへトランスミットできるようにし、且つ前記レフレクト・フェースよりイメージ・フォーミング・ライト・ソース３０のライトをレフレクトし、且つレンズ・ユニット５０によってコレクトをし、且つライト・センサー６０によってレンズ・ユニット５０のコレクトするレフレクト・ライトを検出することにより従来のマウス・デバイスの移動量とスピード・レートとを識別し、且つコンピュータにおけるカーソルに対応移動させるように情報をフィードバックする。
【０００９】
そのため、前記マルチ・カラー・イメージ・フォーミング・ライト・ソースを有するオプチカル・マウス・デバイスには、例えば三つの発光ダイオード、例えば、赤色光発光ダイオードと緑色光発光ダイオードと青色光発光ダイオードとを配置することによって、例えば、オプチカル・マウス・デバイスが緑色のレフレクト・フェースに配置される場合に、緑色や青色のイメージ・フォーミング・ライト・ソース３０へ選択変換することによって、検出される滑走フェースのカラーと、カラーの相補関係を形成することを避けられ、レフレクト・レートの劣化することを防止でき、そのため、イメージ・フォーミング・ライト・ソース３０のレフレクト・フェースにおいてのレフレクト・レートを向上でき、ライト・センサー６０の検出能力と検出特性とを大幅に改善できる。他に、例えば、黄色いや紫色や青色や蜜柑色などの相補するカラーに出会う場合に、すべて前記のイメージ・フォーミング・ライト・ソースを変換することによってそのカラーの相補特性による課題を効果的に解消できる。
【００１０】
また、図４に示すように、マルチ・カラー・イメージ・フォーミング・ライト・ソース３０としてマルチ・カラー・ダブル・ライト・エミッティング結晶粒子からなる発光ダイオードを使用でき、そのような場合では、ライト・ガイド・ユニット４０の片側には単に一つの受光面４１しか要さず、それによってイメージ・フォーミング・ライト・ソース３０に対応すればよい。また、このような場合では、ライト・ガイド・ユニット４０とレンズ・ユニット５０の構造がより簡素的であるので、ケーシング１０における収納部１１に一体成形してもよく、且つプリント電気回路基板２０のスルー・ホール２１を越えるように延伸形成してもよく、且つレンズ・ユニット５０をライト・センサー６０の連結することによって、イメージ・フォーミング・ライト・ソース３０を変更可能にすることができ、そのため。オプチカル・マウス・デバイスの移動量とスピード・レートに対する識別特性を大幅に改善できるので、オプチカル・マウス・デバイスの検出能力を大幅に向上できる。
【産業上の利用可能性】
【００１１】
前記に説明した通り、本考案のマルチ・カラー・イメージ・フォーミング・ライト・ソース有オプチカル・マウス・デバイスによる場合、そのオプチカル・マウス・デバイスの内部に複数のマルチ・カラー・イメージ・フォーミング・ライト・ソースを配置することによって、選択及び変換の可能性を提供できるので。ライト・ソースのカラー・ライトとレフレクト・フェースのカラーと相補関係を形成することを効果的に防止できるため、オプチカル・マウス・デバイスの検出特性と検出能力を大幅に改善でき、そのようなオプチカル・マウス・デバイスをどのようなカラーを有する操作面に使用されても、すべて良好的な検出特性と検出能力を付与することができる。
【００１２】
また、前記に説明したのは、単に、本考案の実施可能な優れた実施例に過ぎず、本考案の主張範囲を狭義的に定義するものではなく、本考案の主張範囲は、請求の範囲の内容の要旨に準じるべきことは言うまでもない。
【図面の簡単な説明】
【００１３】
【図１】従来のオプチカル・マウス・デバイスのオプチ駆る・モジュールを示す組立斜視図である。
【図２】本考案のオプチカル・マウス・デバイスを示す分解斜視図である。
【図３】本考案のマルチ・カラー・イメージ・フォーミング・ライト・ソースを有するオプチカル・マウス・デバイスの構成を示す組立斜視図である。
【図４】本発明のマルチ・カラー・ダブル・ライト・エミッティング結晶粒子からなる発光ダイオードを有するオプチカル・マウス・デバイスのオプチカル・モジュールを示す説明図である。
【符号の説明】
【００１４】
１０  ケージング
１１  収納部
２０  プリント電気回路基板
２１  スルー・ホール
３０  （マルチ・カラー）イメージ・フォーミング・ライト・ソース
４０  ライト・ガイド・ユニット
５０  レンズ・ユニット
６０  ライト・センサー
【図１】
0003104120.tif 000003
【図２】
0003104120.tif 000004
【図３】
0003104120.tif 000005
【図４】
0003104120.tif 000006